(57)【要約】【課題】硬度が高い水で、且つ皮脂汚れ量が多い洗浄液で洗浄しても、高い油性汚れと泥汚れの洗浄力、手洗い洗浄時の泡立ち、及び手洗い洗浄後の泡の持続性が維持でき、手洗い洗浄時に手が温かく（ｈｏｔ）なりすぎず感触が良い、衣料用粉末洗剤組成物を提供する。【解決手段】（Ａ）（ａ１）アルキルベンゼンスルホン酸塩及び（ａ２）アルキル硫酸塩を含む界面活性剤、（Ｂ）硫酸マグネシウムの無水物及び硫酸マグネシウムの水和物から選ばれる１種以上の化合物、並びに（Ｃ）ゼオライト及びトリポリ燐酸塩から選ばれる１種以上の化合物を、それぞれ、特定範囲で含有し、（ａ１）／（ａ２）質量比が１以上、５以下であり、（ａ１）と（ａ２）とを合計で（Ａ）中に６０質量％以上、１００質量％以下含有する、衣料用粉末洗剤組成物。【選択図】なし【特許請求の範囲】
【請求項１】
下記（Ａ）成分を１０質量％以上、３０質量％以下、（Ｂ）成分を硫酸マグネシウムの無水物に換算した値として１．５質量％以上、１０質量％以下、及び（Ｃ）成分を８質量％以下含有し、（ａ１）成分と（ａ２）成分の質量比（ａ１）成分／（ａ２）成分が、０．５以上、５以下であり、（ａ１）成分と（ａ２）成分とを合計で、（Ａ）成分中に６０質量％以上、１００質量％以下含有する、衣料用粉末洗剤組成物。
（Ａ）成分：下記（ａ１）成分及び（ａ２）成分を含む界面活性剤
（ａ１）成分：アルキルベンゼンスルホン酸塩
（ａ２）成分：アルキル硫酸塩
（Ｂ）成分：硫酸マグネシウムの無水物及び硫酸マグネシウムの水和物から選ばれる１種以上の化合物
（Ｃ）成分：ゼオライト及びトリポリ燐酸塩から選ばれる１種以上の化合物
【請求項２】
（Ｂ）成分が硫酸マグネシウムの水和物である、請求項１に記載の衣料用粉末洗剤組成物。
【請求項３】
（Ｂ）成分が硫酸マグネシウム７水和物である、請求項１又は２に記載の衣料用粉末洗剤組成物。
【請求項４】
（Ｃ）成分がゼオライトである、請求項１〜３の何れか１項記載の衣料用粉末洗剤組成物。
【請求項５】
更に（Ｄ）成分として、アルカリ金属炭酸塩（ｄ１）、アルカリ金属塩化物（ｄ２）、及びアルカリ金属硫酸塩（ｄ３）からなる群から選ばれる１種以上の化合物を、組成物中に４０質量％以上、７０質量％以下含有する、請求項１〜４の何れか１項記載の衣料用粉末洗剤組成物。
【請求項６】
アルカリ金属炭酸塩を（Ｄ）成分中に２０質量％以上、１００質量％以下含有する、請求項５記載の衣料用粉末洗剤組成物。
【請求項７】
手洗い洗濯用である請求項１〜５の何れか１項記載の衣料用粉末洗剤組成物。
【請求項８】
請求項１〜７の何れか１項記載の衣料用粉末洗剤組成物１ｇ以上、１０ｇ以下と、ドイツ硬度が５°ＤＨ以上、３０°ＤＨ以下の水１リットルとを混合した洗浄液で、衣料を手洗い洗濯する、衣料の洗濯方法。
【発明の詳細な説明】
【技術分野】
【０００１】
本発明は、衣料用粉末洗剤組成物及び衣料の洗濯方法に関する。
【背景技術】
【０００２】
衣料用洗剤には洗浄成分としてアルキルベンゼンスルホン酸（塩）などの陰イオン界面活性剤を主基剤とするものが多い。陰イオン界面活性剤は、洗浄に用いられる水の硬度成分により洗浄力が影響されることも知られている。従って硬度成分を水から除去するために、通常ゼオライトやトリポリ燐酸塩などのビルダーを併用することが一般的である。
【０００３】
特許文献１の８５頁目の表１１や１０２頁目の表２８には、アルキルベンゼンスルホン酸ナトリウムやアルキル硫酸ナトリウムなどの陰イオン界面活性剤と、無水硫酸マグネシウムを含有する高密度洗濯用洗剤組成物が開示されている。これらの具体例においては、トリポリ燐酸塩等の燐酸酸系ビルダーが多量に配合されている。
【０００４】
特許文献２には、アニオン性洗浄界面活性剤、カルシウム増大技術を含有し、ゼオライトビルダーや燐酸塩ビルダーの含有量が５質量％未満と低い粒子形態の固体洗濯洗剤組成物において、硫酸マグネシウムなどを脱水剤として使用し得ることが開示されている。
【０００５】
特許文献３には、アルキルベンゼンスルホン酸塩、水和性物質を含有し、ゼオライトビルダーや燐酸塩ビルダーの含有量が５質量％未満と低い固体洗濯洗剤が開示されている。水和性物質として、特許文献３の請求項４には、炭酸ナトリウム及び／又は硫酸マグネシウムが挙げられている。特許文献３の段落００１６には、水和性物質の使用目的は、ゼオライトビルダーや燐酸塩ビルダーの含有量を低減させた時に生じる、固体洗濯洗剤の物理的安定性、とりわけケーキ強度の劣化を抑制であることが記載されている。特許文献３の水和性物質は、所定の水和指数を有するのが好ましいとあり、段落００２４の記載などから、水和性物質は無水状であることが示唆される。
【０００６】
特許文献４には、メントールとカンファー及びｌｏｇＰｏｗが２以上、７以下香料成分と、界面活性剤、アルカリ剤及び金属イオン封鎖剤からなる群から選ばれる１種以上の洗剤成分とを含有し、手洗い時に冷涼感を知覚できる手洗い洗濯用洗剤組成物が開示されている。
【０００７】
特許文献５には、非イオン性界面活性剤、アニオン性界面活性剤、及び冷水分散助剤を含み、低温において優れた水分散性を有する、超濃縮液体洗濯洗剤組成物が開示されている。請求項１１及び１２には冷水分散助剤として硫酸マグネシウム７水和物が記載されている。
【０００８】
特許文献６には、アルキルベンゼンスルホン酸塩、アルキル硫酸塩及び硫酸マグネシウムの２５重量％水溶液を２．９重量％含有するＤＥＴＥＲＧＥＮＴ  ＢＡＲが記載されている。硫酸マグネシウムはＤＥＴＥＲＧＥＮＴ  ＢＡＲを硬くすることが記載されている。
【先行技術文献】
【特許文献】
【０００９】
【特許文献１】特開２００５−１６０４７６号広報
【特許文献２】特表２００９−５０４８７１号公報
【特許文献３】特表２００９−５０４８３６号公報
【特許文献４】特開２０１２−２３６９７８号公報
【特許文献５】特表２０１２−５００３０６号公報
【特許文献６】米国特許第５０１３４８６号
【発明の概要】
【発明が解決しようとする課題】
【００１０】
おしゃれ着などの衣料を手洗い洗濯することは日本でも行われている。更には、東南アジアでは、日常的に使用する衣料でさえも、手洗い洗濯する習慣があることは知られている。
【００１１】
東南アジア地区では、高温多湿の環境であり、手洗いの作業は手間がかかり、また衣服に皮脂汚れなどの油性汚れが多量に付着する。また、水の硬度が５°ＤＨ（とりわけ８°ＤＨ）を超える高硬度の地域が存在する。洗浄液中に皮脂汚れが多く存在すると、衣料の汚れ落ちの低下や、皮脂汚れにより洗浄時の泡が立ちにくく、しかも泡が持続しない課題があることがわかった。使用される洗剤には（１）衣料の汚れ落ちだけでなく、新たに（２）手洗い洗濯時に泡がしっかり立ち、その泡が持続すること、また（３）手洗い洗濯時に手が温かく（ｈｏｔ）なりすぎず感触が良いことが求められていることが明らかとなった。また、泥汚れは落ちにくい汚れの一つであり、より高い洗浄力が求められていた。前記「（１）衣料の汚れ落ち」には泥汚れの汚れ落ちも求められることが明らかとなった。
【００１２】
水中の硬度成分を低減させ、アニオン界面活性剤の洗浄力の低下を抑制する為に、ゼオライトやトリポリ燐酸塩が、水の硬度を低減させる成分が使用される。
しかしながら、これらの成分を多量に配合すると経済的に好ましくないだけでなく、手洗い洗濯時の泡立ちとその泡が持続しにくくなる課題があることが明らかとなった。
【００１３】
すなわち、手洗い洗濯に用いられる洗剤組成物においては、手洗い洗浄時において泡がしっかり立ち、その泡が持続していること、また洗浄液の感触が良いこと、と共に、ゼオライトやトリポリ燐酸塩の含有量を低減しても、高硬度の水で高い油性汚れ洗浄力と泥などの粒子汚れ洗浄力が発現することが望まれる。
【００１４】
本発明は、硬度が高い水で、且つ皮脂汚れ量が多い洗浄液で洗浄しても、高い油性汚れの洗浄力、手洗い洗浄時の泡立ち、及び手洗い洗浄後の泡の持続性が維持でき、手洗い洗浄時に手が温かく（ｈｏｔ）なりすぎず感触が良い、衣料用粉末洗剤組成物を提供する。更には、硬度が高い水を使用しても、衣料に付着した泥汚れの洗浄力が優れる衣料用粉末洗剤組成物を提供する。
【課題を解決するための手段】
【００１５】
本発明は、下記（Ａ）成分を１０質量％以上、３０質量％以下、（Ｂ）成分を硫酸マグネシウムの無水物に換算した値として１．５質量％以上、１０質量％以下、及び（Ｃ）成分を８質量％以下含有し、（ａ１）成分と（ａ２）成分の質量比（ａ１）成分／（ａ２）成分が、０．５以上、５以下であり、（ａ１）成分と（ａ２）成分とを合計で、（Ａ）成分中に６０質量％以上、１００質量％以下含有する、衣料用粉末洗剤組成物に関する。
（Ａ）成分：下記（ａ１）成分及び（ａ２）成分を含む界面活性剤
（ａ１）成分：アルキルベンゼンスルホン酸塩
（ａ２）成分：アルキル硫酸塩
（Ｂ）成分：硫酸マグネシウムの無水物及び硫酸マグネシウムの水和物から選ばれる１種以上の化合物
（Ｃ）成分：ゼオライト及びトリポリ燐酸塩から選ばれる１種以上の化合物
【００１６】
本発明は、下記（Ａ）成分を１０質量％以上、３０質量％以下、（Ｂ）成分を硫酸マグネシウムとして１．５質量％以上、１０質量％以下、及び（Ｃ）成分を８質量％以下含有し、（ａ１）成分と（ａ２）成分の質量比（ａ１）成分／（ａ２）成分が、０．５以上、５以下であり、（ａ１）成分と（ａ２）成分とを合計で、（Ａ）成分中に６０質量％以上、１００質量％以下含有する、衣料用粉末洗剤組成物を含む。
（Ａ）成分：下記（ａ１）成分及び（ａ２）成分を含む界面活性剤
（ａ１）成分：アルキルベンゼンスルホン酸塩
（ａ２）成分：アルキル硫酸塩
（Ｂ）成分：硫酸マグネシウム７水和物
（Ｃ）成分：ゼオライト及びトリポリ燐酸塩から選ばれる１種以上の化合物
【００１７】
また、本発明は、上記本発明の衣料用粉末洗剤組成物１ｇ以上、１０ｇ以下と、ドイツ硬度が５°ＤＨ以上、３０°ＤＨ以下の水１リットルとを混合した洗浄液で、衣料を手洗い洗濯する、衣料の洗濯方法に関する。
【発明の効果】
【００１８】
本発明によれば、硬度が高い水で、且つ皮脂汚れ量が多い洗浄液で洗浄しても、高い油性汚れの洗浄力、手洗い洗浄時の泡立ち、及び手洗い洗浄後の泡の持続性が維持でき、手洗い洗浄時に手が温かく（ｈｏｔ）なりすぎず感触が良い、手洗い洗濯に適した衣料用粉末洗剤組成物が提供される。更には、硬度が高い水を使用しても、衣料に付着した泥汚れの洗浄力が優れる衣料用粉末洗剤組成物を提供する。
【発明を実施するための形態】
【００１９】
＜（Ａ）成分＞
（Ａ）成分は、下記（ａ１）成分及び（ａ２）成分を、所定条件で含む界面活性剤である。
（ａ１）成分：アルキルベンゼンスルホン酸塩
（ａ２）成分：アルキル硫酸塩
【００２０】
〔（ａ１）成分〕
（ａ１）成分のアルキルベンゼンスルホン酸塩としては、特に限定されるものではないが、例えば炭素数８以上、好ましくは１０以上、より好ましくは１２以上、そして、２０以下、好ましくは１６以下のアルキル基、好ましくは直鎖アルキル基を有するアルキルベンゼンスルホン酸塩が挙げられる。
【００２１】
洗浄性や組成物の保存安定性の観点から、アルキルベンゼンスルホン酸塩は、ナトリウム、カリウムなどのアルカリ金属塩、アルカノールアミン塩などを挙げることができる。本発明の組成物を調製する場合、アルキルベンゼンスルホン酸（酸型）を組成物中に添加し、粉体成分の混合系内でアルカリと中和反応させアルキルベンゼンスルホン酸塩としてもよいし、予め中和した後、組成物中に添加してもよい。アルキルベンゼンスルホン酸の中和には、水酸化ナトリウム、水酸化カリウム、水酸化リチウム、水酸化アンモニウムなどの塩基を用いることができる。（ａ１）成分を構成する塩はナトリウム、カリウムなどのアルカリ金属塩が好ましく、ナトリウム塩がより好ましい。
【００２２】
〔（ａ２）成分〕
本発明の（ａ２）成分は、アルキル硫酸塩であり、アルキル基の炭素数は１０以上、１６以下が好ましい。すなわち、（ａ）成分は、炭素数１０以上、そして１６以下のアルキル基、好ましくは直鎖アルキル基を有するアルキル硫酸塩が好ましい。（ａ２）成分は、全アルキル基中の炭素数１２以上、１６以下の直鎖アルキル基の割合が５０質量％以上であるアルキル硫酸塩が好ましい。洗浄時の泡立ち及び泡の持続性の観点から、全アルキル基中の炭素数１２の直鎖アルキル基の割合が好ましくは４０質量％以上、より好ましくは５０質量％以上、より好ましくは６０質量％以上であるアルキル硫酸塩が好ましい。（ａ２）成分は、全アルキル基中の炭素数１２以上、１６以下の直鎖アルキル基の割合が５０質量％以上であり、且つ全アルキル基中の炭素数１２の直鎖アルキル基の割合が好ましくは４０質量％以上、より好ましくは５０質量％以上、より好ましくは６０質量％以上であるアルキル硫酸塩がより好ましい。また、再生産可能な原料を用いることで環境負荷を低減するという観点から、（ａ２）成分における全アルキル基中の直鎖アルキル基の割合は５０質量％以上が好ましく、７０質量％以上がより好ましく、９０質量％以上がより好ましく、９９質量％以上がより好ましく、１００質量％、すなわち（ａ２）成分が直鎖アルキル硫酸塩であることがより好ましい。
【００２３】
（ａ２）成分を構成する塩はナトリウム、カリウムなどのアルカリ金属塩、アルカノールアミン塩、及びマグネシウム、カルシウムなどのアルカリ土類金属塩などを挙げることができるが、洗浄性能、泡立ち性、溶解性の観点からアルカリ金属塩が好ましく、ナトリウム塩がより好ましい。
【００２４】
本発明では、（ａ１）成分と（ａ２）成分の質量比（ａ１）成分／（ａ２）成分が、０．５以上、５以下である。
本発明の衣料用粉末洗剤組成物が（Ｂ）成分を多量に含有しても、泥汚れの洗浄力が維持できる点から、（ａ１）成分／（ａ２）成分の質量比は、５以下であり、４．８以下が好ましく、４．６以下がより好ましく、４．３以下がより好ましく、４．０以下がより好ましく、３．５以下がより好ましく、２．５以下がより好ましく、２．４以下がより好ましく、２．２以下がより好ましく、２．０以下がより好ましい。
本発明の衣料用粉末洗剤組成物が硫酸マグネシウム７水和物を多量に含有しても、油汚れの洗浄力が維持できる観点から、（ａ１）成分／（ａ２）成分の質量比は、５以下であり、４．８以下が好ましく、４．６以下がより好ましく、４．３以下がより好ましく、２．５以下がより好ましく、２．４以下がより好ましく、２．２以下がより好ましく、２．０以下がより好ましく、１．８以下がより好ましい。
本発明の衣料用粉末洗剤組成物が硫酸マグネシウム７水和物以外の硫酸マグネシウムの水和物や無水物を多量に含有しても、油汚れの洗浄力が維持できる観点から、（ａ１）成分／（ａ２）成分の質量比は、５．０以下であり、４．８以下が好ましく、４．６以下がより好ましく、４．３以下がより好ましく、２．５以下がより好ましく、２．４以下がより好ましく、２．２以下がより好ましく、２．０以下がより好ましく、１．８以下がより好ましい。
高硬度条件下での洗浄時の泡持続性の点から、（ａ１）成分／（ａ２）成分の質量比は、０．５以上であり、０．６以上が好ましく、０．７以上がより好ましく、０．９以上がより好ましい。
油汚れの洗浄力と洗浄時の泡持続性を両立できる観点から、（ａ１）成分／（ａ２）成分の質量比は、０．９以上、１．８以下が好ましい。
油汚れと泥汚れの洗浄力と洗浄時の泡持続性を両立できる観点から、（ａ１）成分／（ａ２）成分の質量比は、０．９以上が好ましく、１．１以上がより好ましく、１．２以上がより好ましく、１．４以上がより好ましく、１．５以上がより好ましく、そして、６．０以下が好ましく、５．０以下がより好ましく、４．８以下がより好ましく、４．６以下がより好ましく、４．３以下がより好ましく、２．５以下がより好ましく、２．４以下がより好ましく、２．２以下がより好ましく、２．０以下がより好ましい。
【００２５】
また、本発明では、（ａ１）成分と（ａ２）成分とを合計で、（Ａ）成分中に６０質量％以上、１００質量％以下含有する。手洗い洗浄時の泡立ち及び泡の持続性の観点から、（ａ１）成分と（ａ２）成分とを合計で、（Ａ）成分中に、好ましくは７０質量％以上、より好ましくは８０質量％以上、より好ましくは９０質量％以上、より好ましくは１００質量％含有する。
【００２６】
（Ａ）成分として、（ａ１）成分及び（ａ２）成分以外の界面活性剤を含有することができる。（ａ１）成分及び（ａ２）成分以外の界面活性剤としては、例えば、ポリオキシアルキレンアルキルエーテル硫酸塩〔ポリオキシアルキレン基は、オキシアルキレン基の重合度が１以上、１０以下であり、アルキル基の炭素数が１２以上、１６以下である。〕、α−スルホ脂肪酸アルキルエステル塩、α−オレフィンスルホン酸塩〔α−オレフィンの炭素数は１２以上、１８以下である〕、及び炭素数１２以上、１８以下の脂肪酸塩から選ばれる陰イオン界面活性剤が挙げられる。
【００２７】
また、（Ａ）成分として、ポリオキシアルキレンソルビタン脂肪酸エステル、ポリオキシアルキレン脂肪酸エステル、ポリオキシアルキレンアルキルエーテル、ポリオキシアルキレンアルキルフェニルエーテル、ショ糖脂肪酸エステル、ソルビタン脂肪酸エステル、脂肪酸アルカノールアミド、及びアルキルグリコシドから選ばれる非イオン界面活性剤、モノ又はジアルキルアミン及びそのポリオキシエチレン付加物、並びにモノ又はジ長鎖アルキル第４級アンモニウム塩から選ばれる陽イオン界面活性剤、カルボベタイン、スルホベタイン、及びヒドロキシスルホベタインから選ばれる両性界面活性剤が挙げられる。前記非イオン界面活性剤、陽イオン界面活性剤及び両性界面活性剤のアルキル基は、炭素数１２以上、１６以下の第１級又は第２級のアルキル基が好ましい。脂肪酸の炭素数は１２以上、１６以下が好ましい。オキシアルキレン基は炭素数２以上、４以下のオキシアルキレン基が好ましく、オキシアルキレン基としてオキシエチレン基を含むことがより好ましい。ポリオキシアルキレン基は、前記オキシアルキレン基の繰り返し単位が２以上、４０以下である基が好ましい。すなわち、アルキレンオキシドの平均付加モル数で表現した場合、平均付加モル数が２以上、４０以下であることが好ましい。アルカノール基はエタノール基（ヒドロキシエチル基）が好ましい。
【００２８】
（Ａ）成分中、（ａ１）成分及び（ａ２）成分以外の界面活性剤の含有量は、油汚れの洗浄力と洗浄時の泡持続性の観点から、４０質量％未満であり、３０質量％未満が好ましく、２０質量％未満がより好ましく、１０質量％未満がより好ましく、０質量％であること、すなわち、含まないことがより好ましい。
【００２９】
本発明の衣料用粉末洗剤組成物の調製の際には、（Ａ）成分は、（ａ１）成分、（ａ２）成分及び他の界面活性剤を含有する混合物として配合することができる。また、本発明の衣料用粉末洗剤組成物の調製の際には、（ａ１）成分、（ａ２）成分及び他の界面活性剤を、別々に配合することもできる。
【００３０】
〔（Ｂ）成分〕
（Ｂ）成分は硫酸マグネシウムの無水物及び硫酸マグネシウムの水和物から選ばれる１種以上の化合物である。（Ｂ）成分は前記（ａ１）成分と（ａ２）成分と併用することで、硬度が高い水を洗浄水として用いても、皮脂汚れの洗浄力、手洗い時の洗浄時の泡立ち、手洗い洗浄後の泡の持続性が維持できる。
また、本発明の衣料用粉末洗剤組成物は、特定量の（Ｂ）成分を含有することで、硬度が高い水、例えば、硬度が８°ＤＨ以上の水での洗浄で使用された場合に、泥汚れの洗浄性が優れる。本発明の（Ｂ）成分が含むマグネシウムは、洗浄液中で洗浄成分であるアニオン界面活性剤とスカム化し、洗浄効果を低下させると言われている硬度成分である。硬度が高い水、例えば８°ＤＨ以上の水に、（Ｂ）成分によりマグネシウムが供給されると、意外にも、泥汚れの洗浄性が向上することが判明した。
また、（Ｂ）成分が硫酸マグネシウムの水和物であると、手洗い時の感触が、より良くなる。
【００３１】
（Ｂ）成分は、硫酸マグネシウムの水和物が好ましく、具体的には硫酸マグネシウムの１水和物、硫酸マグネシウムの６水和物、硫酸マグネシウムの７水和物、硫酸マグネシウムの１２水和物が挙げられる。硫酸マグネシウム７水和物がより好ましい。硫酸マグネシウム７水和物は、硬度が高い水を洗浄水として用いた場合の皮脂汚れ及び泥汚れの洗浄力、手洗い時の洗浄時の泡立ち、手洗い洗浄後の泡の持続性、手洗い洗浄時の感触に優れるため好ましい。また、衣料用粉末洗剤組成物の保存安定性、特に保存時の固化が起こりにくい点からも硫酸マグネシウムの７水和物が好ましい。硫酸マグネシウム７水和物は粉状、又は粒状のものを使用できる。
【００３２】
〔（Ｃ）成分〕
（Ｃ）成分はゼオライト及びトリポリ燐酸塩から選ばれる１種以上の化合物である。
【００３３】
ゼオライトは結晶性アルミノ硅酸塩とも呼ばれる。具体的なゼオライトとして、Ａ型、Ｘ型、Ｐ型ゼオライト等の結晶性アルミノ珪酸塩を含有できる。その平均一次粒子径は好ましくは０．１μｍ以上、より好ましくは１μｍ以上、そして、好ましくは１０μｍ以下、より好ましくは５μｍ以下である。結晶性アルミノ珪酸塩として好適なものは、Ａ型ゼオライト（例えば、商品名「トヨビルダー」：東ソー（株）製、ＪＩＳ  Ｋ  ５１０１法による吸油能：４０ｍＬ／１００ｇ以上）が好ましい。その他に、Ｐ型（例えば、商品名「Ｄｏｕｃｉｌ  Ａ２４」、「ＺＳＥＯ６４」等；いずれもCrosfield社製；吸油能６０〜１５０ｍＬ／１００ｇ）、Ｘ型（例えば、商品名「WessalithXD」、；Degussa社製；吸油能８０〜１００ｍＬ／１００ｇ）、国際公開第９８４２６２２号記載のハイブリッドゼオライトも好適なものとして挙げられる。
【００３４】
トリポリ燐酸塩中の対イオンとしては、アルカリ金属イオンが好ましく、ナトリウムイオン及びカリウムイオンから選ばれるイオンがより好ましい。全対イオン中、ナトリウムイオン及びカリウムイオンの質量比は、７０質量％以上が好ましく、８５質量％以上がより好ましい。トリポリ燐酸塩と併用して、オルト燐酸塩、ピロ燐酸塩を使用することができる。トリポリ燐酸塩、オルト燐酸塩の量、及びピロ燐酸塩の質量比は、トリポリ燐酸塩／オルト燐酸塩／ピロ燐酸塩＝（８０質量部以上、９７質量部以下）／（１質量部以上、１０質量部以下）／（２質量部以上、１０質量部以下）が好適である（量は無水物として計算）。
【００３５】
本発明の衣料用粉末洗剤組成物は、（Ｃ）成分として、ゼオライトを含有することが好ましい。また、本発明の衣料用粉末洗剤組成物は、（Ｃ）成分として、トリポリ燐酸塩を含有することもできる。
【００３６】
〔衣料用粉末洗剤組成物〕
本発明の衣料用粉末洗剤組成物は、手洗い洗濯用として好適である。詳しくは後述するように、手洗い洗濯に用いる洗浄液を調製するための粉末洗剤組成物として好適である。その他にも、洗濯に使用する水に漬けた衣料の一部に、本発明の衣料用粉末洗剤組成物をふりかけながら、水と接触させ、もみ洗いをする洗濯に用いる洗剤として適している。また、本発明の粉末洗剤組成物を適量手に取り、その手を洗濯に使用する水中に漬け、次にかき混ぜながら水と混合することで洗浄液を調製し、この洗浄液に衣料を漬けてもみ洗いする洗剤として適している。
【００３７】
本発明の衣料用粉末洗剤組成物中の（Ａ）成分の含有量は、１０質量％以上、３０質量％以下であり、洗浄性、手洗い洗浄時の泡立ち及び泡の持続性の点から、（Ａ）成分の含有量は、１２質量％以上が好ましく、１４質量％以上がより好ましく、１６質量％以上がより好ましい。本発明の衣料用粉末洗剤組成物中の（Ａ）成分の含有量は、経済性の点から、２５質量％以下が好ましく、２３質量％以下がより好ましく、２１質量％以下がより好ましく、２０質量％以下がより好ましく、１９質量％以下がより好ましい。
【００３８】
また、本発明の衣料用粉末洗剤組成物中の（Ｂ）成分の含有量は、硫酸マグネシウムの無水物に換算した値として、すなわち無水換算で、１．５質量％以上、１０質量％以下であり、手洗い洗浄時の泡立ち及び泡の持続性の観点から、１．６質量％以上が好ましく．１．８質量％以上がより好ましく、２質量％以上がより好ましく、２．２質量％以上がより好ましく、２．５質量％以上がより好ましく、３質量％以上がより好ましい。経済性、洗浄力及び手洗い洗浄時の感触の観点から、（Ｂ）成分の含有量は、硫酸マグネシウムの無水物に換算した値として、組成物中、８質量％以下が好ましく、７質量％以下がより好ましく、６質量％以下がより好ましい。
【００３９】
皮脂汚れの洗浄性の観点から、本発明の衣料用粉末洗剤組成物中の（Ｂ）成分の含有量は、硫酸マグネシウムの無水物に換算した値として、８質量％以下が好ましく、７質量％以下がより好ましく、６質量％以下がより好ましく、５質量％以下がより好ましく、４質量％以下がより好ましく、３質量％以下がより好ましく、２．５質量％以下がより好ましい。
【００４０】
泥汚れの洗浄性の点から、本発明の衣料用粉末洗剤組成物中の（Ｂ）成分の含有量は、硫酸マグネシウムの無水物に換算した値として、１．５質量％以上であり、好ましくは１．６質量％以上が好ましく、より好ましくは１．８質量％以上であり、より好ましくは２．０質量％以上であり、より好ましくは２．５質量％以上であり、より好ましくは３．０質量％以上であり、より好ましくは４．０質量％以上であり、より好ましくは５．０質量％以上であり、そして、８．０質量％以下が好ましく、７．０質量％以下がより好ましい。
【００４１】
また、本発明の衣料用粉末洗剤組成物中の（Ｃ）成分の含有量は、８質量％以下であり、経済性の観点から、７質量％以下が好ましく、６．５質量％以下がより好ましく、６質量％以下がより好ましい。（Ｃ）成分の含有量は、組成物中、泥汚れの洗浄性の観点から、８質量％以下であり、７．５質量％以下が好ましく、７．０質量％以下がより好ましく、７．０質量％以下がより好ましく、６．５質量％以下がより好ましく、６．０質量％以下がより好ましく、５．５質量％以下がより好ましく、５．０質量％以下がよりより好ましい。皮脂汚れの洗浄性、粉末がさらさらして計量しやすい点から、ゼオライトの含有量は、組成物中、３質量％以上が好ましく、４質量％以上がより好ましい。洗浄時の泡立ち及び泡の持続性の観点から、トリポリ燐酸塩の含有量は、少ない方が好ましく、組成物中、３質量％以下が好ましく、２質量％以下がより好ましく、含有しないこと、すなわち０質量％であることがより好ましい。なお、（Ｃ）成分のうち、トリポリ燐酸塩の含有量は無水換算とする。
【００４２】
本発明の衣料用粉末洗剤組成物には（Ｄ）成分として、アルカリ金属炭酸塩（ｄ１）、アルカリ金属塩化物（ｄ２）、及びアルカリ金属硫酸塩（ｄ３）からなる群から選ばれる１種以上の化合物を含有することができる。
【００４３】
アルカリ金属炭酸塩（ｄ１）は、アルカリ剤として本発明の衣料用粉末洗剤組成物に配合することで、洗浄力を高める効果を有する。具体的な化合物は、特に限定されるものではないが、例えば、炭酸ナトリウム、及び炭酸カリウムから選ばれる１種以上の化合物が挙げられる。
【００４４】
アルカリ金属塩化物（ｄ２）、アルカリ金属硫酸塩（ｄ３）は、本発明の衣料用粉末洗剤組成物に配合することで、洗浄液中のイオン強度を高め、洗浄時の泡立ち性及び泡の持続性を高めることができる。アルカリ金属塩化物（ｄ２）の具体的な化合物としては、特に限定されるものではないが、塩化ナトリウム、及び塩化カリウムから選ばれる１種以上の化合物が挙げられる。また、アルカリ金属硫酸塩（ｄ３）の具体的な化合物としては、特に限定されるものではないが、硫酸カリウム、及び硫酸ナトリウムから選ばれる１種以上の化合物が挙げられる。
【００４５】
（Ｄ）成分としては、洗浄時の泡立ち性、及び泡の持続性の点で、アルカリ金属炭酸塩（ｄ１）及びアルカリ金属硫酸塩（ｄ３）から選ばれる１種以上の化合物が好ましい。皮脂汚れの洗浄性の点で、（Ｄ）成分中にアルカリ金属炭酸塩（ｄ１）、なかでも炭酸ナトリウムを２０質量％以上含有することが好ましく、２５質量％以上がより好ましく、３０質量％以上が好ましい。洗浄時の泡立ち性及び持続性の点で、（Ｄ）成分中にアルカリ金属炭酸塩（ｄ１）を１００質量％以下含有することが好ましく、９０質量％以下がより好ましく、８０質量％以下がより好ましく、７０質量％以下がより好ましい。なお、（Ｄ）成分の含有量は無水換算とする。
【００４６】
また、本発明の衣料用粉末洗剤組成物中の（Ｄ）成分の含有量は、４０質量％以上、７０質量％以下が好ましい。高硬度条件下での洗浄性、手洗い洗浄時の泡立ち性、泡の持続性の観点から、（Ｄ）成分の含有量は、組成物中、５０質量％以上がより好ましく、５５質量％以上がより好ましく、経済性の観点から６５質量％以下がより好ましい。
【００４７】
本発明の衣料用粉末洗剤組成物は、以下の成分を含有することができる。
（ｉ）洗剤粒子の流動性及び非ケーキング性の観点から、表面改質剤を含有しても良い。表面改質被覆剤としては、例えば、アルミノ珪酸塩、珪酸カルシウム、二酸化ケイ素、結晶性シリケート化合物等のシリケート化合物、ベントナイト、タルク、クレイ等の粘土鉱物、カルボキシメチルセルロース、ポリエチレングリコール、ポリアクリル酸又はその塩、アクリル酸とマレイン酸のコポリマー又はその塩等のポリカルボン酸塩等の水溶性ポリマーが挙げられる。表面改質剤の含量は保存安定性の点で、本発明の衣料用粉末洗剤組成物中の２０質量％以下が好ましく、１５質量％以下がより好ましい。また、表面改質の点で、本発明の洗剤組成物中の１質量％以上が好ましく、３質量％以上がより好ましく、５質量％以上がより好ましい。
（ii）ポリビニルピロリドン等の色移り防止剤
（iii）セルラーゼ、アミラーゼ、ペクチナーゼ、プロテアーゼ、リパーゼ等の酵素
（iv）蛍光染料、例えばチノパールＣＢＳ（商品名、チバスペシャリティケミカルズ製）やホワイテックスＳＡ（商品名、住友化学（株）製）として市販されている蛍光染料
（ｖ）ブチルヒドロキシトルエン、ジスチレン化クレゾール、亜硫酸ナトリウム及び亜硫酸水素ナトリウム等の酸化防止剤
（vii）色素、香料、抗菌防腐剤、シリコーン等の消泡剤
（viii）イオン交換水、水道水、イオン交換水に次亜塩素酸ナトリウムを、水の質量に対して０．１〜５ｍｇ／ｋｇ添加した水等の水
【００４８】
低温溶解性、安定性の点で、ＪＩＳ  Ｋ３３６２：２００８（５８頁第８章第１節）記載のふるい分け機械によるふるい分け方法によって測定される粒度から求められる、本発明の洗剤組成物の平均粒径は１５０μｍ以上、１０００μｍ以下が好ましく、より好ましくは２００μｍ以上、９００μｍ以下、より好ましくは２５０μｍ以上、８００μｍ以下である。
【００４９】
低温溶解性、安定性の点で、ＪＩＳ  Ｋ３３６２：２００８（５９頁第８章第２節）記載方法によって測定される、本発明の洗剤組成物の見かけ密度（ｇ／ｍｌ）は０．１５以上、１．２以下が好ましく、０．２以上、１．１以下がより好ましく、０．２５以上、１．０以下がより好ましく、０．３以上、０．９８以下がより好ましい。
【００５０】
洗浄性能および泡量と泡持続性の点で、本発明の洗剤組成物のＪＩＳ  Ｋ３３６２：２００８（６０頁第８章第３節）記載の２５℃ で測定する１．０質量％ の水溶液のｐＨは８以上、１２以下が好ましく、９以上、１１．５以下がより好ましく、９．５以上、１１以下がより好ましく、１０以上、１１以下がより好ましい。
【００５１】
本発明の洗剤組成物の製造方法は、特に限定はなく、公知の方法で製造できる。例えば、噴霧乾燥法、ドライ中和法、乾燥造粒法、ドライブレンド法、流動層乾燥法、薄膜乾燥法、押出し造粒法、転動造粒法、攪拌造粒法、圧密造粒法、界面活性剤担持法とこれらの組み合わせにより、製造可能である。
【００５２】
本発明の洗剤組成物を製造するにあたり、（Ｂ）成分は、（Ａ）成分と水とを含むスラリーと混合することも出来るが、本発明の粉末洗剤組成物を保存しても、より良好な流動性を維持できる点で、噴霧乾燥により（Ａ）成分を含み水分含有量が少ないベース顆粒を製造し、（Ｂ）成分を、該ベース顆粒と混合することが好ましい。
【００５３】
洗濯時の泡立ちが良い点で、噴霧乾燥により、（Ａ）成分と、１０質量％以下の水とを含有するベース顆粒を製造し、（Ｂ）成分を、該ベース顆粒と混合することが好ましい。（Ｂ）成分は、全配合量の１０質量％未満をベース顆粒に配合してもよい。本発明の衣料用粉末洗剤が流動性（ｆｌｕｉｄｉｔｙ）を有する点で、（Ａ）成分を含むベース顆粒中の水分含有量は、９質量％以下がより好ましく、８質量％以下がより好ましく、７質量％以下がより好ましく、６質量％以下がより好ましい。
【００５４】
本発明の衣料用粉末洗剤組成物は、皮脂汚れや泥汚れの洗浄性、泡立ち性、泡の持続性の向上の点から、下記工程１〜工程３を含む製造方法で得られる衣料用粉末洗剤組成物であることが好ましい。
工程１：（Ａ）成分及び水を混合し、水分含有量が３０質量％以上、７０質量％以下のスラリーを得る工程。
工程２：工程１で得られたスラリーを噴霧乾燥し、水分含有量が１０質量％以下のベース顆粒を得る工程。
工程３：工程２で得られたベース顆粒と（Ｂ）成分と（Ｃ）成分を混合する工程。
【００５５】
（Ｂ）成分は、全配合量の１０質量％未満を工程１で用いてもよい。泡持続性をより向上させる点で、（Ｂ）成分は、全配合量の９３質量％以上を工程３で用い、残部を工程１で用いることが好ましく、（Ｂ）成分は、全配合量の９５質量％以上を工程３で用い、残部を工程１で用いることがより好ましく、（Ｂ）成分は、全配合量を工程３で用いることがより好ましい。
【００５６】
前記工程１で得られるスラリー中の水分含有量は、製造の容易性の点から、３５質量％以上が好ましく、４０質量％以上がより好ましく、そして、６５質量％以下が好ましく、６０質量％以下がより好ましい。
【００５７】
前記工程２で得られるベース顆粒中の水分含有量は、本発明の衣料用粉末洗剤組成物が流動性（ｆｌｕｉｄｉｔｙ）を有する点から、９質量％以下がより好ましく、８質量％以下がより好ましく、７質量％以下がより好ましく、６質量％以下がより好ましい。
【００５８】
前記工程３においてベース顆粒と（Ｂ）成分と（Ｃ）成分は同時に混合しても良い。また、ベース顆粒と（Ｂ）成分と（Ｃ）成分から選ばれる２種の成分を混合し、残りの成分と混合しても良い。
【００５９】
（Ｄ）成分や任意成分を使用する場合には、工程１〜工程３のいずれの工程で使用することが出来る。製造の容易性の点で、（Ｄ）成分を工程１で使用することが好ましい。よって、（Ｄ）成分を含有する場合、本発明の衣料用粉末洗剤組成物は、下記工程１’〜工程３’を含む製造方法で得られる、衣料用粉末洗剤組成物であることが好ましい。
工程１’：（Ａ）成分、（Ｄ）成分及び水を混合し、水分含有量が３０質量％以上、７０質量％以下のスラリーを得る工程。
工程２’：工程１で得られたスラリーを噴霧乾燥し、水分含有量が１０質量％以下のベース顆粒を得る工程。
工程３’：工程２で得られたベース顆粒と（Ｂ）成分と（Ｃ）成分を混合する工程。
【００６０】
〔手洗い洗濯方法〕
本発明の衣料用粉末洗剤組成物は、手洗い洗濯用として好適である。本発明の衣料用粉末洗剤組成物は、水と混合した洗浄液として、手洗い洗濯に好適に供せられる。本発明の衣料用粉末洗剤組成物を用いた洗濯方法として、本発明の衣料用粉末洗剤組成物１ｇ以上、１０ｇ以下と、ドイツ硬度が５°ＤＨ以上、３０°ＤＨ以下の水１リットルとを混合した洗浄液で、衣料を手洗い洗濯する、衣料の洗濯方法が挙げられる。
【００６１】
前記洗濯方法では、本発明の粉末洗剤組成物の洗浄液中の濃度は、洗浄性の観点から、２．５ｇ／Ｌ以上が好ましく、３ｇ／Ｌ以上がより好ましく、３．５ｇ／Ｌ以上がより好ましい。一方、すすぎ性の観点から、１０ｇ／Ｌ以下であり、８ｇ／Ｌ以下が好ましく、６ｇ／Ｌ以下がより好ましい。３．５ｇ／Ｌ以上、５ｇ／Ｌ以下の濃度で使用することがより好ましい。
【００６２】
洗浄液は、本発明の衣料用粉末洗剤組成物のうち、（Ａ）成分を０．０３質量％以上の濃度で含有することが好ましく、０．０６質量％以上がより好ましく、そして、経済性の観点から０．１２質量％以下の濃度で含有することが好ましく、０．０９質量％以下の濃度で含有することがより好ましい。
【００６３】
前記洗濯方法では、洗浄液の調製に用いられる水の硬度はドイツ硬度で５°ＤＨ以上、３０°ＤＨ以下である。優れた皮脂汚れの洗浄性、洗浄時の泡立ち性、泡の持続性において、本発明の効果をより実感しやすい点から６°ＤＨ以上が好ましく、８°ＤＨ以上がより好ましく、１０°ＤＨ以上がより好ましい。洗浄時の泡立ち性、泡の持続性の観点から、３０°ＤＨ以下が好ましく、２５°ＤＨがより好ましく、２０°ＤＨ以下がより好ましい。硬度は、エチレンジアミン四酢酸二ナトリウム塩を使用したキレート滴定法で求められる全硬度を表す。
【００６４】
従って、本発明の衣料の洗濯方法では、本発明の衣料用粉末洗剤組成物１ｇ以上、好ましくは２．５ｇ以上、より好ましくは３ｇ以上、より好ましくは３．５ｇ以上、そして、１０ｇ以下、好ましくは８ｇ以下、より好ましくは６ｇ以下、より好ましくは５ｇ／Ｌ以下と、ドイツ硬度が５°ＤＨ以上、好ましくは６°ＤＨ以上、より好ましくは８°ＤＨ以上、より好ましくは１０°ＤＨ以上、そして、３０°ＤＨ以下、好ましくは２５°ＤＨ以下、より好ましくは２０°ＤＨ以下の水１リットルとを混合した洗浄液で、衣料を手洗い洗濯することができる。
【００６５】
前記洗濯方法では、本発明の衣料用粉末洗剤組成物を含む洗浄液の容量（リットル）と、衣料の質量（ｋｇ）との比（以後、浴比と称する）は、手洗い洗浄時の洗濯のしやすさという点から、〔洗浄液の容量（リットル）〕／〔衣料の質量（ｋｇ）〕で３以上が好ましく、５以上がより好ましい。洗浄性、洗浄時の泡立ち、泡の持続性の観点から、浴比は、２０以下が好ましく、１０以下がより好ましい。
【００６６】
また、本発明の粉末洗剤組成物の他の具体的な使用方法として、洗濯に使用する水に漬けた衣料の一部に、本発明の洗剤組成物をふりかけながら、水と接触させ、もみ洗いをする方法も挙げられる。また、本発明の粉末洗剤組成物を適量手に取り、その手を洗濯に使用する水中に漬け、次にかき混ぜながら水と混合することで洗浄液を調製し、この洗浄液に衣料を漬けてもみ洗いする方法が、本発明の効果をより実感できる。
【００６７】
上述した実施形態に関し、本発明は更に以下の衣料用粉末洗剤組成物及び衣料の洗濯方法を開示する。
【００６８】
＜１＞  下記（Ａ）成分を１０質量％以上、３０質量％以下、（Ｂ）成分を硫酸マグネシウムの無水物に換算した値として１．５質量％以上、１０質量％以下、及び（Ｃ）成分を８質量％以下含有し、（ａ１）成分と（ａ２）成分の質量比（ａ１）成分／（ａ２）成分が、０．５以上、５以下であり、（ａ１）成分と（ａ２）成分とを合計で、（Ａ）成分中に６０質量％以上、１００質量％以下含有する、衣料用粉末洗剤組成物。
（Ａ）成分：下記（ａ１）成分及び（ａ２）成分を含む界面活性剤
（ａ１）成分：アルキルベンゼンスルホン酸塩
（ａ２）成分：アルキル硫酸塩
（Ｂ）成分：硫酸マグネシウムの無水物及び硫酸マグネシウムの７水和物から選ばれる１種以上の化合物
（Ｃ）成分：ゼオライト及びトリポリ燐酸塩から選ばれる１種以上の化合物
【００６９】
＜２＞（Ｂ）成分が硫酸マグネシウムの水和物である、＜１＞記載の衣料用粉末洗剤組成物。
【００７０】
＜３＞  下記（Ａ）成分を１０質量％以上、３０質量％以下、（Ｂ）成分を硫酸マグネシウムの無水物に換算した値として１．５質量％以上、１０質量％以下、及び（Ｃ）成分を８質量％以下含有し、（ａ１）成分と（ａ２）成分の質量比（ａ１）成分／（ａ２）成分が、０．５以上、５以下であり、（ａ１）成分と（ａ２）成分とを合計で、（Ａ）成分中に６０質量％以上、１００質量％以下含有する、＜２＞記載の衣料用粉末洗剤組成物。
（Ａ）成分：下記（ａ１）成分及び（ａ２）成分を含む界面活性剤
（ａ１）成分：アルキルベンゼンスルホン酸塩
（ａ２）成分：アルキル硫酸塩
（Ｂ）成分：硫酸マグネシウム７水和物
（Ｃ）成分：ゼオライト及びトリポリ燐酸塩から選ばれる１種以上の化合物
【００７１】
＜４＞（ａ１）成分が、炭素数８以上、好ましくは１０以上、より好ましくは１２以上、そして、２０以下、好ましくは１６以下のアルキル基、より好ましくは直鎖アルキル基を有するアルキルベンゼンスルホン酸塩である＜１＞〜＜３＞の何れかに記載の衣料用粉末洗剤組成物。
【００７２】
＜５＞（ａ２）成分が、炭素数１０以上、そして、１６以下のアルキル基、好ましくは直鎖アルキル基を有するアルキル硫酸塩である＜１＞〜＜４＞の何れかに記載の衣料用粉末洗剤組成物。
【００７３】
＜６＞（ａ２）成分が、全アルキル基中の直鎖アルキル基の割合が５０質量％以上であり、好ましくは７０質量％以上であり、より好ましくは９０質量％以上であり、より好ましくは９９質量％以上であり、より好ましくは１００質量％、すなわち（ａ２）成分が直鎖アルキル硫酸塩である＜１＞〜＜５＞の何れかに記載の衣料用粉末洗剤組成物。
【００７４】
＜７＞（ａ２）成分が、全アルキル基中の炭素数１２以上、１６以下の直鎖アルキル基の割合が５０質量％以上であり、且つ全アルキル基中の炭素数１２の直鎖アルキル基の割合が好ましくは４０質量％以上、より好ましくは５０質量％以上、より好ましくは６０質量％以上であるアルキル硫酸塩である＜１＞〜＜６＞の何れかに記載の衣料用粉末洗剤組成物。
【００７５】
＜８＞（ａ１）成分と（ａ２）成分の質量比（ａ１）成分／（ａ２）成分が、０．５以上、好ましくは０．６以上、より好ましくは０．７以上、より好ましくは０．９以上であり、そして、５以下であり、好ましくは４．８以下、より好ましくは４．６以下、より好ましくは４．３以下、より好ましくは２．５以下、より好ましくは１．８以下である、＜１＞〜＜７＞の何れかに記載の衣料用粉末洗剤組成物。
【００７６】
＜９＞（ａ１）成分と（ａ２）成分とを合計で、（Ａ）成分中に６０質量％以上、好ましくは７０質量％以上、より好ましくは８０質量％以上、より好ましくは９０質量％以上、１００質量％以下、好ましくは１００質量％含有する、＜１＞〜＜８＞の何れかに記載の衣料用粉末洗剤組成物。
【００７７】
＜１０＞（Ａ）成分を１０質量％以上、好ましくは１２質量％以上、より好ましくは１４質量％以上、より好ましくは１６質量％以上、そして、３０質量％以下、好ましくは２５質量％以下、より好ましくは２３質量％以下、より好ましくは１９質量％以下含有する、＜１＞〜＜９＞の何れかに記載の衣料用粉末洗剤組成物。
【００７８】
＜１１＞硫酸マグネシウム７水和物が粉状、又は粒状である、＜１＞〜＜１０＞の何れかに記載の衣料用粉末洗剤組成物。
【００７９】
＜１２＞（Ｂ）成分を硫酸マグネシウムの無水物に換算した値として１．５質量％以上、好ましくは１．６質量％以上．より好ましくは１．８質量％以上、より好ましくは２質量％以上、より好ましくは２．５質量％以上、より好ましくは３質量％以上、そして、１０質量％以下、好ましくは８質量％以下、より好ましくは７質量％以下、より好ましくは６質量％以下含有する、＜１＞〜＜１１＞の何れかに記載の衣料用粉末洗剤組成物。
【００８０】
＜１３＞（Ｃ）成分としてゼオライトを含有する、＜１＞〜＜１２＞の何れかに記載の衣料用粉末洗剤組成物。
【００８１】
＜１４＞（Ｃ）成分としてトリポリ燐酸塩を含有する、＜１＞〜＜１３＞の何れかに記載の衣料用粉末洗剤組成物。
【００８２】
＜１５＞（Ｃ）成分を、好ましくは７質量％以下、より好ましくは６．５質量％以下、より好ましくは６質量％以下含有する、＜１＞〜＜１４＞の何れかに記載の衣料用粉末洗剤組成物。
【００８３】
＜１６＞（Ｃ）成分であるゼオライトの含有量が、組成物中、３質量％以上、好ましくは４質量％以上である、＜１＞〜＜１５＞の何れかに記載の衣料用粉末洗剤組成物。
【００８４】
＜１７＞（Ｃ）成分であるトリポリ燐酸塩の含有量の含有量が、組成物中、３質量％以下、好ましくは２質量％以下、より好ましくは０質量％である、＜１＞〜＜１６＞の何れかに記載の衣料用粉末洗剤組成物。
【００８５】
＜１８＞更に（Ｄ）成分として、アルカリ金属炭酸塩（ｄ１）、アルカリ金属塩化物（ｄ２）、及びアルカリ金属硫酸塩（ｄ３）からなる群から選ばれる１種以上の化合物を、組成物中に４０質量％以上、７０質量％以下含有する、＜１＞〜＜１７＞の何れかに記載の衣料用粉末洗剤組成物。
【００８６】
＜１９＞アルカリ金属炭酸塩（ｄ１）が、炭酸ナトリウム、及び炭酸カリウムから選ばれる１種以上の化合物である、＜１８＞に記載の衣料用粉末洗剤組成物。
【００８７】
＜２０＞アルカリ金属塩化物（ｄ２）が、塩化ナトリウム、及び塩化カリウムから選ばれる１種以上の化合物である、＜１８＞又は＜１９＞に記載の衣料用粉末洗剤組成物。
【００８８】
＜２１＞アルカリ金属硫酸塩（ｄ３）が、硫酸カリウム、及び硫酸ナトリウムから選ばれる１種以上の化合物である、＜１８＞〜＜２０＞の何れかに記載の衣料用粉末洗剤組成物。
【００８９】
＜２２＞（Ｄ）成分を、組成物中に４０質量％以上、好ましくは５０質量％以上、より好ましくは５５質量％以上、そして、７０質量％以下、好ましくは６５質量％以下含有する、＜１８＞〜＜２１＞の何れか記載の衣料用粉末洗剤組成物。
【００９０】
＜２３＞手洗い洗濯用である、＜１＞〜＜２２＞の何れか記載の手洗い用の衣料用粉末洗剤組成物。
【００９１】
＜２４＞＜１＞〜＜２３＞の何れかに記載の衣料用粉末洗剤組成物１ｇ以上、好ましくは２．５ｇ以上、より好ましくは３ｇ以上、より好ましくは３．５ｇ以上、そして、１０ｇ以下、好ましくは８ｇ以下、より好ましくは６ｇ以下、より好ましくは５ｇ／Ｌ以下と、ドイツ硬度が５°ＤＨ以上、好ましくは６°ＤＨ以上、より好ましくは８°ＤＨ以上、より好ましくは１０°ＤＨ以上、そして、３０°ＤＨ以下、好ましくは２５°ＤＨ以下、より好ましくは２０°ＤＨ以下の水１リットルとを混合した洗浄液で、衣料を手洗い洗濯する、衣料の洗濯方法。
【００９２】
＜２５＞下記工程１〜工程３を含む製造方法で得られる、＜１＞〜＜１７＞の何れかに記載の衣料用粉末洗剤組成物。
工程１：（Ａ）成分及び水を混合し、水分含有量が３０質量％以上、７０質量％以下のスラリーを得る工程。
工程２：工程１で得られたスラリーを噴霧乾燥し、水分含有量が１０質量％以下のベース顆粒を得る工程。
工程３：工程２で得られたベース顆粒と（Ｂ）成分と（Ｃ）成分を混合する工程。
【００９３】
＜２６＞下記工程１’〜工程３’を含む製造方法で得られる、＜１８＞〜＜２２＞の何れかに記載の衣料用粉末洗剤組成物。
工程１’：（Ａ）成分、（Ｄ）成分及び水を混合し、水分含有量が３０質量％以上、７０質量％以下のスラリーを得る工程。
工程２’：工程１で得られたスラリーを噴霧乾燥し、水分含有量が１０質量％以下のベース顆粒を得る工程。
工程３’：工程２で得られたベース顆粒と（Ｂ）成分と（Ｃ）成分を混合する工程。
【実施例】
【００９４】
実施例に使用した成分を下記に示す。
〔（Ａ）成分〕
（ａ１−１）：ドデシルベンゼンスルホン酸ナトリウム〔（ａ１）成分〕
（ａ２−１）：アルキル硫酸ナトリウム〔（ａ２）成分、アルキル基の組成：ラウリル基／ミリスチル基／パルミチル基＝６７／２８／５（質量比）〕
（ａ３−１）：ポリオキシエチレン（エチレンオキシド平均付加モル数２１）ラウリルエーテル
【００９５】
〔（Ｂ）成分〕
表中の数字は硫酸マグネシウムの無水物に換算した質量％を示した。
（ｂ−１）：硫酸マグネシウム・７水和物
（ｂ−２）：硫酸マグネシウムの無水物
【００９６】
〔（Ｃ）成分〕
（ｃ−１）：ゼオライト〔４Ａ型ゼオライト、平均粒子径３μｍ（東ソー（株）製）〕
（ｃ−２）：トリポリリン酸ナトリウム
【００９７】
〔（Ｄ）成分〕
（ｄ１−１）：炭酸ナトリウム
（ｄ３−１）：硫酸ナトリウム
【００９８】
〔任意成分〕
（ｅ−１）：２号珪酸ナトリウム：ケイ酸ナトリウム（４０質量％）（TOKUYAMA SIAM SILICA CO. LTD.製、表中には有効分の質量％を示した。
（ｅ−２）：ポリアクリル酸ナトリウム塩（４０質量％水溶液、重量平均分子量８０００、表中には有効分の質量％を示した。）
【００９９】
＜実施例１＞
濃度６５質量％のドデシルベンゼンスルホン酸ナトリウム水溶液１８．６２ｋｇ、濃度３０質量％のアルキル硫酸ナトリウムペースト２２．００ｋｇ、濃度４０質量％の２号珪酸ナトリウム水溶液３０．２５ｋｇ、炭酸ナトリウム２２．００ｋｇ、硫酸ナトリウム４４．００ｋｇ、濃度４０質量％のポリアクリル酸ナトリウム塩水溶液１．１ｋｇ及び水を混合し、水分５０質量％の均一なスラリーを調製した。次いで、本スラリーを噴霧乾燥により乾燥し、ベース顆粒を得た（水分含有量２．５質量％）。更に、得られた顆粒９０．９重量部とゼオライト５重量部、硫酸マグネシウム７水和物４．１重量部とをコンクリートミキサー〔光洋機械産業（株）製〕を用いて混合し、粉末洗剤組成物を得た。この粉末洗剤組成物は、平均粒径２６２μｍ、ＪＩＳ  Ｋ３３６２の見掛け密度０．３７ｇ／ｍＬであった。得られた粉末洗剤組成物の組成は、表１に記載した。
【０１００】
＜実施例２＞
濃度６５質量％のドデシルベンゼンスルホン酸ナトリウム水溶液１９．９７ｋｇ、濃度３０質量％のアルキル硫酸ナトリウムペースト２３．６０ｋｇ、濃度４０質量％の２号珪酸ナトリウム水溶液３２．４４ｋｇ、炭酸ナトリウム２４ｋｇ、硫酸ナトリウム４７．１９ｋｇ、濃度４０質量％のポリアクリル酸ナトリウム塩水溶液１．１８ｋｇ及び水を混合し、水分５０質量％の均一なスラリーを調製した。次いで、本スラリーを噴霧乾燥により乾燥し、ベース顆粒を得た（水分含有量２．３６質量％）。更に、得られたベース顆粒８４．７６重量部とゼオライト５重量部、硫酸マグネシウム７水和物１０．２４重量部とをコンクリートミキサー〔光洋機械産業（株）製〕を用いて混合し、粉末洗剤組成物を得た。この粉末洗剤組成物は、平均粒径２６１μｍ、ＪＩＳ  Ｋ３３６２の見掛け密度０．３６ｇ／ｍＬであった。得られた粉末洗剤組成物の組成は、表１に記載した。
【０１０１】
＜実施例３＞
濃度６５質量％のドデシルベンゼンスルホン酸ナトリウム水溶液２０．４６ｋｇ、濃度３０質量％のアルキル硫酸ナトリウムペースト２４．１８ｋｇ、濃度４０質量％の２号珪酸ナトリウム水溶液３３．２５ｋｇ、炭酸ナトリウム２４．１８ｋｇ、硫酸ナトリウム４８．３６ｋｇ、濃度４０質量％のポリアクリル酸ナトリウム塩水溶液１．２１ｋｇ及び水を混合し、水分５０質量％の均一なスラリーを調製した。次いで、本スラリーを噴霧乾燥により乾燥し、ベース顆粒を得た（水分含有量０．３１質量％）。更に、得られたベース顆粒８２．７１重量部とゼオライト５重量部、硫酸マグネシウム７水和物１２．３重量部とをコンクリートミキサー〔光洋機械産業（株）製〕を用いて混合し、粉末洗剤組成物を得た。この粉末洗剤組成物は、平均粒径２６５μｍ、ＪＩＳ  Ｋ３３６２の見掛け密度０．３８ｇ／ｍＬであった。得られた粉末洗剤組成物の組成は、表１に記載した。
【０１０２】
＜実施例４＞
濃度６５質量％のドデシルベンゼンスルホン酸ナトリウム水溶液１４．３９ｋｇ、濃度３０質量％のアルキル硫酸ナトリウムペースト３１．１７ｋｇ、濃度４０質量％の２号珪酸ナトリウム水溶液３０．２５ｋｇ、炭酸ナトリウム２２．００ｋｇ、硫酸ナトリウム４４．００ｋｇ、濃度４０質量％のポリアクリル酸ナトリウム塩水溶液１．１ｋｇ及び水を混合し、水分５０質量％の均一なスラリーを調製した。次いで、本スラリーを噴霧乾燥により乾燥し、ベース顆粒を得た（水分含有量２．５質量％）。更に、得られたベース顆粒９０．９重量部とゼオライト５重量部、硫酸マグネシウム７水和物４．１重量部とをコンクリートミキサー〔光洋機械産業（株）製〕を用いて混合し、粉末洗剤組成物を得た。この粉末洗剤組成物は、平均粒径２９０μｍ、ＪＩＳ  Ｋ３３６２の見掛け密度０．３７ｇ／ｍＬであった。得られた粉末洗剤組成物の組成は、表１に記載した。
【０１０３】
＜実施例５＞
濃度６５質量％のドデシルベンゼンスルホン酸ナトリウム水溶液１５．４３ｋｇ、濃度３０質量％のアルキル硫酸ナトリウムペースト３３．４３ｋｇ、濃度４０質量％の２号珪酸ナトリウム水溶液３２．４４ｋｇ、炭酸ナトリウム２３．６０ｋｇ、硫酸ナトリウム４７．１９ｋｇ、濃度４０質量％のポリアクリル酸ナトリウム塩水溶液１．１８ｋｇ及び水を混合し、水分５０質量％の均一なスラリーを調製した。次いで、本スラリーを噴霧乾燥により乾燥し、ベース顆粒を得た（水分含有量２．３６質量％）。更に、得られたベース顆粒８４．７６重量部とゼオライト５重量部、硫酸マグネシウム７水和物１０．２４重量部とをコンクリートミキサー〔光洋機械産業（株）製〕を用いて混合し、粉末洗剤組成物を得た。この粉末洗剤組成物は、平均粒径２８９μｍ、ＪＩＳ  Ｋ３３６２の見掛け密度０．３８ｇ／ｍＬであった。得られた粉末洗剤組成物の組成は、表１に記載した。
【０１０４】
＜実施例６＞
濃度６５質量％のドデシルベンゼンスルホン酸ナトリウム水溶液２５．３０ｋｇ、濃度３０質量％のアルキル硫酸ナトリウムペースト１８．３３ｋｇ、濃度４０質量％の２号珪酸ナトリウム水溶液３０．２５ｋｇ、炭酸ナトリウム２２．００ｋｇ、硫酸ナトリウム４４ｋｇ、濃度４０質量％のポリアクリル酸ナトリウム塩水溶液１．１ｋｇ及び水を混合し、水分５０質量％の均一なスラリーを調製した。次いで、本スラリーを噴霧乾燥により乾燥し、ベース顆粒を得た（水分含有量５．５質量％）。更に、得られたベース顆粒９０．９重量部とゼオライト５重量部、硫酸マグネシウム７水和物４．１重量部とをコンクリートミキサー〔光洋機械産業（株）製〕を用いて混合し、粉末洗剤組成物を得た。この粉末洗剤組成物は、平均粒径２６７μｍ、ＪＩＳ  Ｋ３３６２の見掛け密度０．３４ｇ／ｍＬであった。得られた粉末洗剤組成物の組成は、表１に記載した。
【０１０５】
＜実施例７＞
濃度６５質量％のドデシルベンゼンスルホン酸ナトリウム水溶液１６．９２ｋｇ、濃度３０質量％のアルキル硫酸ナトリウムペースト３６．６７ｋｇ、濃度４０質量％の２号珪酸ナトリウム水溶液３０．２５ｋｇ、炭酸ナトリウム２２．００ｋｇ、硫酸ナトリウム４４．００ｋｇ、濃度４０質量％のポリアクリル酸ナトリウム塩水溶液１．１ｋｇ及び水を混合し、水分５０質量％の均一なスラリーを調製した。次いで、本スラリーを噴霧乾燥により乾燥し、ベース顆粒を得た（水分含有量５．５質量％）。更に、得られたベース顆粒９０．９重量部とゼオライト５重量部、硫酸マグネシウム７水和物４．１重量部とをコンクリートミキサー〔光洋機械産業（株）製〕を用いて混合し、粉末洗剤組成物を得た。この粉末洗剤組成物は、平均粒径２９０μｍ、ＪＩＳ  Ｋ３３６２の見掛け密度０．３５ｇ／ｍＬであった。得られた粉末洗剤組成物の組成は、表１に記載した。
【０１０６】
＜実施例８＞
濃度６５質量％のドデシルベンゼンスルホン酸ナトリウム水溶液１８．２０ｋｇ、濃度３０質量％のアルキル硫酸ナトリウムペースト２１．５１ｋｇ、濃度４０質量％の２号珪酸ナトリウム水溶液２９．５７ｋｇ、炭酸ナトリウム２１．５１ｋｇ、硫酸ナトリウム４３．０１ｋｇ、濃度４０質量％のポリアクリル酸ナトリウム塩水溶液１．０８ｋｇ及び水を混合し、水分５０質量％の均一なスラリーを調製した。次いで、本スラリーを噴霧乾燥により乾燥し、ベース顆粒を得た（水分含有量１０．６０質量％）。更に、得られたベース顆粒９３重量部とゼオライト５重量部、無水硫酸マグネシウム２重量部とをコンクリートミキサー〔光洋機械産業（株）製〕を用いて混合し、粉末洗剤組成物を得た。この粉末洗剤組成物は、平均粒径２７５μｍ、ＪＩＳ  Ｋ３３６２の見掛け密度０．３２ｇ／ｍＬであった。得られた粉末洗剤組成物の組成は、表１に記載した。
【０１０７】
＜実施例９〜１８＞
実施例１において、各成分の種類や量を適宜変え、表２又は表３に記載の組成になるように、本発明の衣料用粉末洗剤組成物を製造した。その際、実施例１８では、硫酸マグネシウム７水和物を、噴霧乾燥前のスラリーに配合（工程１で使用）した。
なお、実施例１〜１８では、前記工程１〜工程３を含む製造方法で洗剤組成物を調製した。実施例１〜１７では（Ｂ）成分を工程３で使用し、実施例１８では（Ｂ）成分を工程１で使用した。
【０１０８】
＜比較例１＞
濃度６５質量％のドデシルベンゼンスルホン酸ナトリウム水溶液１７．８１ｋｇ、濃度３０質量％のアルキル硫酸ナトリウムペースト２１．０５ｋｇ、濃度４０質量％の２号珪酸ナトリウム水溶液２８．９５ｋｇ、炭酸ナトリウム２１．０５ｋｇ、硫酸ナトリウム４２．１１ｋｇ、濃度４０質量％のポリアクリル酸ナトリウム塩水溶液１．０５ｋｇ及び水を混合し、水分５０質量％の均一なスラリーを調製した。次いで、本スラリーを噴霧乾燥により乾燥し、ベース顆粒を得た（水分含有量１２．６質量％）。更に、得られたベース顆粒９５重量部とゼオライト５重量部とをコンクリートミキサー〔光洋機械産業（株）製〕を用いて混合し、粉末洗剤組成物を得た。この粉末洗剤組成物は、平均粒径２６３μｍ、ＪＩＳ  Ｋ３３６２の見掛け密度０．３９ｇ／ｍＬであった。得られた粉末洗剤組成物の組成は、表１に記載した。
【０１０９】
＜比較例２＞
濃度６５質量％のドデシルベンゼンスルホン酸ナトリウム水溶液１７．９９ｋｇ、濃度３０質量％のアルキル硫酸ナトリウムペースト２１．２６ｋｇ、濃度４０質量％の２号珪酸ナトリウム水溶液２９．２３ｋｇ、炭酸ナトリウム２１．２６ｋｇ、硫酸ナトリウム４２．５２ｋｇ、濃度４０質量％のポリアクリル酸ナトリウム塩水溶液１．０６ｋｇ及び水を混合し、水分５０質量％の均一なスラリーを調製した。次いで、本スラリーを噴霧乾燥により乾燥し、ベース顆粒を得た（水分含有量１１．６８質量％）。更に、得られたベース顆粒９４．０８重量部とゼオライト５重量部、硫酸マグネシウム７水和物０．９２重量部とをコンクリートミキサー〔光洋機械産業（株）製〕を用いて混合し、粉末洗剤組成物を得た。この粉末洗剤組成物は、平均粒径２９２μｍ、ＪＩＳ  Ｋ３３６２の見掛け密度０．３５ｇ／ｍＬであった。得られた粉末洗剤組成物の組成は、表１に記載した。
【０１１０】
＜比較例３＞
濃度６５質量％のドデシルベンゼンスルホン酸ナトリウム水溶液２７．０８ｋｇ、濃度３０質量％のアルキル硫酸ナトリウムペースト３．６７ｋｇ、濃度４０質量％の２号珪酸ナトリウム水溶液３０．２５ｋｇ、炭酸ナトリウム２２．００ｋｇ、硫酸ナトリウム４４．００ｋｇ、濃度４０質量％のポリアクリル酸ナトリウム塩水溶液１．１ｋｇ及び水を混合し、水分５０質量％の均一なスラリーを調製した。次いで、本スラリーを噴霧乾燥により乾燥し、ベース顆粒を得た（水分含有量８．５質量％）。更に、得られたベース顆粒９０．９重量部とゼオライト５重量部、硫酸マグネシウム７水和物４．１重量部とをコンクリートミキサー〔光洋機械産業（株）製〕を用いて混合し、粉末洗剤組成物を得た。この粉末洗剤組成物は、平均粒径２７８μｍ、ＪＩＳ  Ｋ３３６２の見掛け密度０．３９ｇ／ｍＬであった。得られた粉末洗剤組成物の組成は、表１に記載した。
【０１１１】
＜比較例４＞
濃度６５質量％のドデシルベンゼンスルホン酸ナトリウム水溶液１０．１５ｋｇ、濃度３０質量％のアルキル硫酸ナトリウムペースト１１．００ｋｇ、ポリオキシエチレンラウリルエーテル（ＥＯ＝２１．０）８．８ｋｇ、濃度４０質量％の２号珪酸ナトリウム水溶液３０．２５ｋｇ、炭酸ナトリウム２２．００ｋｇ、硫酸ナトリウム４４．００ｋｇ、濃度４０質量％のポリアクリル酸ナトリウム塩水溶液１．１ｋｇ及び水を混合し、水分５０質量％の均一なスラリーを調製した。次いで、本スラリーを噴霧乾燥により乾燥し、ベース顆粒を得た（水分含有量８．５質量％）。更に、得られたベース顆粒９０．９重量部とゼオライト５重量部、硫酸マグネシウム７水和物４．１重量部とをコンクリートミキサー〔光洋機械産業（株）製〕を用いて混合し、粉末洗剤組成物を得た。この粉末洗剤組成物は、平均粒径２８５μｍ、ＪＩＳ  Ｋ３３６２の見掛け密度０．３８ｇ／ｍＬであった。得られた粉末洗剤組成物の組成は、表１に記載した。
【０１１２】
＜比較例５〜１０＞
比較例１において、各成分の種類や量を適宜変え、表２に記載の組成になるように、衣料用粉末洗剤組成物を製造した。
なお、比較例１〜１０では、前記工程１〜工程３を含む製造方法で洗剤組成物を調製した。比較例で（Ｂ）成分を配合する場合は、工程３で使用した。
【０１１３】
＜性能評価＞
実施例及び比較例で得られた粉末洗剤組成物について、以下の評価を行った。結果を表１〜３に示す。下記の評価方法において、合格基準を満たす性能が得られた粉末洗剤組成物が、本発明の手洗い用に適した、衣料用粉末洗剤組成物である。
【０１１４】
（１）洗浄力評価
（１−１）皮脂汚れの洗浄力評価
＜人工汚染布の作製＞
使用した人工汚染布は、６ｃｍ×６ｃｍの木綿／ポリエステルブロード混紡染着布（木綿／ポリエステル比＝３５／６５、谷頭商店より購入。以下、「原布」という。）に、下記組成から成るモデル皮脂汚れを１枚当り１００ｍｇになるようグラビア塗工したものである。
・モデル皮脂汚れ
以下の組成を有するモデル皮脂汚れを使用した。
ラウリン酸０．４４質量％、ミリスチン酸３．１５質量％、ペンタデカン酸２．３５質量％、パルチミチン酸６．３１質量％、ヘプタデカン酸０．４４質量％、ステアリン酸１．６質量％、オレイン酸７．９１質量％、トリオレイン１３．３３質量％、パルミチン酸ｎ−ヘキサデシル２．２２質量％、スクアレン６．６６質量％
【０１１５】
＜洗浄条件＞
硬度が１０°ＤＨ（Ｃａ／Ｍｇ＝６／４、質量比）の水１リットルに、モデル皮脂汚れを０．２ｇ、氷酢酸を０．３ｍｌ、表１〜３に記載の粉末洗剤組成物３．５ｇを入れた洗浄液（３０℃）に、人工モデル皮脂汚れ汚染布を５枚入れた。次に６ｃｍ×１２ｃｍの木綿／ポリエステルブロード混紡染着布を投入し、浴比を２０に調整した。ターゴトメーターで、１８０回転、３分間の条件で洗浄した。
【０１１６】
洗浄力は、汚染前の原布、及びモデル皮脂汚れ汚染布の洗浄前後の５５０ｎｍにおける反射率を測色色差計（日本電色工業株式会社製 Ｚ−３００Ａ）にて測定し、次式によって洗浄率（％）を求めた。汚染布５枚についてそれぞれ測定し平均値を求めた。洗浄率は６０％以上が合格ラインであり、数値が高い方がより好ましい。
洗浄率（％）＝１００×［（洗浄後のモデル皮脂汚れ汚染布の反射率−洗浄前のモデル皮脂汚れ汚染布の反射率）／（原布の反射率−洗浄前のモデル皮脂汚れ汚染布の反射率）］
【０１１７】
（１−２）泥汚れ洗浄力評価
＜泥汚染布の調製＞
使用した人工汚染布は、１０ｃｍ×１０ｃｍの綿メリヤス（綿１００％、谷頭商店より購入。以下、「原布」という。）を用いて、特開平１０−２０４７６９号の段落００３０〜００３８に記載の製法により、泥汚染布を調製した。
【０１１８】
＜洗浄力試験操作＞
温度が３０℃であり、硬度が１０°ＤＨ（Ｃａ／Ｍｇ＝６／４、質量比）の水５Ｌを直径３６ｃｍ、深さ１３ｃｍ、容量１１Ｌのポリプロピレン製洗面器に投入した。洗面器内の水に、衣料用粉末洗浄剤組成物１７．５ｇを投入した。水が洗面器より飛散しないように手で攪拌し、均一に分散又は溶解させ、洗浄液を調製した。泥汚染布１枚をＬサイズのグンゼＹＧ肌着１枚に縫い付けた。この肌着５枚を、前記洗浄液中に３０分間浸漬した。浸漬後に、洗濯者が、肌着に縫い付けられた泥汚染布同士を擦り合わせながら、５０回手で擦った。その時の擦り力は、比較例１の衣料用粉末洗剤組成物を使用して、同様に擦り合わせたときの泥汚染布の洗浄力が４５％になる擦り力である。その後、肌着を、温度が３０℃で硬度が１０°ＤＨ（Ｃａ／Ｍｇ＝６／４、質量比）の水５Ｌに入れた。１枚の肌着の首部をつかみ、水から出し入れする操作を１０回行った。５枚の肌着それぞれに前記操作を行った。肌着を手で絞った後、泥汚染布を肌着から取り外し、プレス乾燥機で乾燥後、泥汚染布の洗浄力を測定した。
【０１１９】
洗浄力は、汚染前の原布、及び泥汚染布の洗浄前後の５５０ｎｍにおける反射率を測色色差計（日本電色工業株式会社製 Ｚ−３００Ａ）にて測定し、次式によって洗浄率（％）を求めた。洗浄率は５０％以上が合格ラインであり、数値が高い方がより好ましい。
洗浄率（％）＝１００×［（洗浄後の泥汚染布の反射率−洗浄前の泥汚染布の反射率）／（原布の反射率−洗浄前の泥汚染布の反射率）］
【０１２０】
（２）泡持続性の評価
前記（１−１）皮脂汚れの洗浄力評価で試験した後に布を全て取り出した洗浄液２００ｍＬ（温度３０℃）を、３０秒間かけて円柱状のガラス管（直径５ｃｍ、高さ９０ｃｍ）の中に注ぎ込み、５分静置後の泡高さ（ｃｍ）を測定した。
比較例１の泡高さである９．３ｃｍを基準として、対比する実施例又は比較例の泡持続性相対値を下記式で算出した。泡持続性相対値は、１．１以上が合格であり、数値が高い方がより好ましい。
泡持続性相対値＝〔対比する実施例又は比較例の泡高さ（ｃｍ）〕／〔比較例１（基準組成物）の泡高さ（ｃｍ）〕
【０１２１】
（３）手洗い時の感触の評価
手洗い時の感触評価は、手のひらでの官能評価を下記の方法で行った。結果を表１〜３に示す。
・評価方法
洗剤組成物１８ｇを片手で軽く握り、そのままの状態で温度３０℃の水５リットル（硬度１０°ＤＨ（Ｃａ／Ｍｇ＝６／４、質量比）の中にゆっくりと入れた。洗剤組成物を保持した状態で水に入れた直後から１分間経過する間の、手のひらの感触を、手の感触の評価に熟練したパネラー５人（３０代、女性２人、男性３人）で下記の基準で評価し、平均値を求めた。平均値が０．８以上を合格とした。
＊判定基準
０：実施例８の粉末洗剤組成物よりも、手のひらの感触が温かく（ｈｏｔ）感じる。
１：手のひらの感触が極僅かに温かく（ｈｏｔ）感じるが、実施例８の粉末洗剤組成物に比べて、遥かに温かく（ｈｏｔ）感じない。
【０１２２】
【表１】
2014141641.tif 000002
【０１２３】
【表２】
2014141641.tif 000003
【０１２４】
【表３】
2014141641.tif 000004
【０１２５】
表中、（Ｂ）成分、（Ｄ）成分の質量％は、無水換算の量に基づくものである。